(57)【特許請求の範囲】
【請求項１】
ケーシングと、前記ケーシングに設けられた吸気口と、
前記ケーシングに設けられ、前記吸気口と連通する排出口と、
人体を検知する人体検知手段と、
前記ケーシング内で前記吸気口と前記排出口との間に設けられ、前記人体検知手段が人体を検知した際に作動する吸気ファンと、
前記吸気ファンと、前記排出口との間に設けられた脱臭剤と、
前記吸気口と前記吸気ファンとの間に設けられ、取り外し可能な第１フィルタと、
前記第１フィルタと前記吸気ファンとの間に設けられた第２フィルタと、
を備え、
前記第１フィルタ及び前記第２フィルタは、メッシュ状であり、前記第２フィルタは前記第１フィルタよりも目が粗い、
トイレ用脱臭装置。
【請求項２】
前記吸気ファンが作動している状態において、前記第１フィルタが引き抜かれた際、前記吸気ファンを停止制御する制御部を備える、
請求項１に記載のトイレ用脱臭装置。
【請求項３】
前記吸気ファンが作動している状態において、前記第１フィルタが引き抜かれた際、吸気ファンを逆回転制御する制御部を備える、
請求項１に記載のトイレ用脱臭装置。
【発明の詳細な説明】
【技術分野】
【０００１】
本発明は、トイレ用脱臭装置に関する。
【背景技術】
【０００２】
従来から、日常生活において使用されるトイレの使用中の不快なにおいを除去する目的のため、便座装置の中にトイレ用脱臭装置が設けられている。
【０００３】
例えば特許文献１には、吸気ファン及び換気ファンが埃や紙粉を吸引することを防ぐためのメッシュ部材を備えたフィルタを、各ファンで共通化し、各ファンの上流側に配置する技術が開示されている。
【先行技術文献】
【特許文献】
【０００４】
【特許文献１】特開２０１３−９６１０７号公報
【発明の概要】
【発明が解決しようとする課題】
【０００５】
しかしながら、特許文献１に記載の技術では、吸気ファンが作動している状態において清掃目的等のためフィルタを取り外すと、吸気ファンの吸気により埃や紙粉が吸い込まれ、これら埃や紙粉が吸気ファンに詰まるという問題があった。  
【０００６】
そこで、本発明は、上述した課題を解決するためになされたものであり、フィルタを取り外した状態においても、吸気ファンへの埃や紙粉つまりを抑制することができるトイレ用脱臭装置を提供することを目的の一つとする。
【課題を解決するための手段】
【０００７】
本発明の第１態様に係るトイレ用脱臭装置は、ケーシングと、前記ケーシングに設けられた吸気口と、前記ケーシングに設けられ、前記吸気口と連通する排出口と、人体を検知する人体検知手段と、前記ケーシング内で前記吸気口と前記排出口との間に設けられ、前記人体検知手段が人体を検知した際に作動する吸気ファンと、前記吸気ファンと、前記排出口との間に設けられた脱臭剤と、前記吸気口と前記吸気ファンとの間に設けられ、取り外し可能な第１フィルタと、前記第１フィルタと前記吸気ファンとの間に設けられた第２フィルタと、を備え、前記第１フィルタ及び前記第２フィルタは、メッシュ状であり、前記第２フィルタは前記第１フィルタよりも目が粗い。
【０００８】
この構成によれば、人体検知センサの検知により吸気ファンが作動した場合において、清掃目的等のため第１フィルタを取り外した場合においても、第２フィルタがあるため、吸気ファンへの埃や紙粉つまりを抑制することができる。
また、この構成によれば、吸気ファンが埃や紙粉を吸い込んでもフィルタが二重であるため、埃や紙粉を受け止めやすくなる。第１フィルタは小さい埃や紙粉を受け止めやすくするため、第２フィルタよりも目を細かくし、清掃目的等のため吸気ファン遠方側の第１フィルタを引き抜いた際に、第１フィルタに付着していた埃や紙粉が剥がれ、吸気ファンに吸い込まれても、第１フィルタに付着したことにより埃や紙粉はまとまって剥がれるため、吸気ファン近辺側の第２メッシュは目の粗いフィルタを使用し、第２メッシュにて吸気ファンへの埃や紙粉つまりを抑制することができる。
【００１１】
本発明の第２態様に係るトイレ用脱臭装置は、前記人体検知センサが人体を検知し、吸気ファンが作動している状態において、清掃目的等のため前記吸気ファン遠方側の第１フィルタを引き抜いた際に、第１フィルタ内部に搭載された検知回路により第１フィルタが引き抜かれたことを制御装置へ信号送信し、制御装置より吸気ファンへの作動停止信号を送信する。
【００１２】
この構成によれば、第１フィルタを引き抜いた際、第１フィルタが引き抜かれたことを制御装置へ信号送信し、制御装置より吸気ファンへの作動停止信号を送信するまでの間や、吸気ファンが作動停止信号を受信し、回転が停止するまでに惰性でファンが回転し埃や紙粉を吸気することを抑制することができるとともに、第１フィルタが引き抜かれた状態での吸気ファン作動による埃や紙粉の吸い込みを抑制することができる。
また第１フィルタ引抜時に第１フィルタに付着していた埃や紙粉が剥がれ、吸気ファンが埃や紙粉を吸い込むことを抑制することができる。
【００１３】
本発明の第３態様に係るトイレ用脱臭装置は、前記人体検知センサが人体を検知し、吸気ファンが作動している状態において、前記フィルタを引き抜いた際、第１フィルタ内部に搭載された検知回路により第１フィルタが引き抜かれたことを制御装置へ信号送信し、制御装置より吸気ファンへファンの逆回転信号を送信する。
【００１４】
この構成によれば、第１フィルタを引き抜いた際、第１フィルタが引き抜かれたことを制御装置へ信号送信し、制御装置より吸気ファンへの逆回転信号を送信するまでの間や、吸気ファンが逆回転信号を受信し、吸気ファンが順回転より逆回転するまでに惰性でファンが回転し埃や紙粉を吸気することを抑制することができるとともに、第１フィルタが引き抜かれた状態での吸気ファン逆回転動作による逆送風により埃や紙粉の吸い込みを抑制することができる。
また第１フィルタ引抜時に吸気ファンの逆回転により逆送風が発生し第１フィルタに付着していた埃や紙粉の剥がれを助長するとともに、吸気ファンが埃や紙粉を吸い込むことを抑制することができる。
【発明の効果】
【００１５】
本発明のトイレ用脱臭装置によれば、吸気ファンへの埃や紙粉つまりを抑制することが
できる。
【図面の簡単な説明】
【００１６】
【図１Ａ】本発明の第一実施形態に係るトイレ用脱臭装置を模式的に表す平面図である。
【図１Ｂ】本発明の第一実施形態に係るトイレ用脱臭装置の動作の一例を模式的に表す平面図である。
【図２Ａ】本発明の第一実施形態に係るトイレ用脱臭装置の動作の一例を模式的に表す平面図である。
【図２Ｂ】本発明の第一実施形態に係るトイレ用脱臭装置の動作の一例を模式的に表す平面図である。
【図３Ａ】本発明の第一実施形態に係るトイレ用脱臭装置の動作の一例を模式的に表す平面図である。
【図３Ｂ】本発明の第二実施形態に係るトイレ用脱臭装置の動作の一例を模式的に表す平面図である。
【発明を実施するための形態】
【００１７】
以下、添付図面を参照しながら本発明の実施の形態について説明する。理解を容易にするため、各図面において同一の構成要素に対しては可能な限り同一の符号を付し、重複する説明は省略する。
【００１８】
＜第一実施形態＞
図１Ａは、本発明の実施態様に係るトイレ用脱臭装置を模式的に表す平面図である。
【００１９】
図１Ａに示すように、本発明の第一実施態様によるトイレ用脱臭装置１は、ケーシング１１と、ケーシング１１に設けられたケーシング外から空気を吸引するための吸気口８と、ケーシング１１に設けられ、吸気口８と連通する排気口９と、を備えている。
さらに、トイレ用脱臭装置１は、人体を検知する人体検知センサ１０と、ケーシング１１内で吸気口８と排気口９との間に設けられ、人体検知センサ１０が人体を検知した際に作動する吸気ファン６と、ケーシング１１内に設けられ、人体検知センサ１０と吸気ファン６を制御する制御装置３と、吸気ファン６と、排出口９との間に設けられた脱臭剤７と、吸気口８と吸気ファン６との間に設けられ、取り外し可能な第１フィルタ４と、第１フィルタ４と吸気ファン６との間に設けられた取り外し可能な第１フィルタ４よりも目の粗い取り外し可能な第２フィルタ５と、を備えている。
【００２０】
以下、本発明の第一実施態様トイレ用脱臭装置の動作について説明する。
【００２１】
図１Ｂは、本発明の実施態様を示す平面図である。
【００２２】
図１Ｂに示すように、人体検知センサ１０が使用者を検知した際、吸気ファン６が駆動し始める。吸気ファン６が駆動すると吸気口８から外の臭気を吸引し脱臭剤７を介して排気口９より外へ排出される。
吸気ファン６が駆動する際、取り外し可能な制御付き第１フィルタ４及び取り外し可能な第２フィルタ５が吸気経路全体を遮る様に備えているため、吸気ファン６が埃や紙粉を吸い込むことを抑制することができる。
【００２３】
図２Ａに示すように、仮に清掃目的等のため人体検知センサ１０が使用者を検知し、吸気ファン６が駆動している状態にて制御装置付き第１フィルタ４を引き抜かれた場合においても、第２フィルタ５が吸気経路全体を遮っているため、吸気ファン６が埃や紙粉を吸い込むことを抑制することができる。
【００２４】
図２Ｂに示すように、仮に清掃目的等のため人体検知センサ１０が使用者を検知し、吸気ファン６が駆動している状態にて第２フィルタ５を引き抜かれた場合においても、制御装置付き第１フィルタ４が吸気経路全体を遮る様に備えているため、吸気ファン６が埃や紙粉を吸い込むことを抑制することができる。
【００２５】
図３Ａに示すように、吸気ファンモータ６が駆動中において、清掃目的等のため制御装置付き第１フィルタ４を使用者が引き抜いた際、制御装置付き第１フィルタ４内部に搭載された検知回路により制御装置付き第１フィルタ４が引き抜かれたことを制御装置３へ信号送信し、制御装置３より吸気ファン６への作動停止信号を送信し、吸気ファン６の駆動を停止するため、吸気ファン６が埃や紙粉を吸引することを抑制することができる。仮に制御装置付き第１フィルタ４が引き抜かれ、制御装置付き第１フィルタ４内部に搭載された検知回路により制御装置付き第１フィルタ４が引き抜かれたことを制御装置３へ信号送信し、制御装置３より吸気ファン６への作動停止信号を送信し、吸気ファン６が駆動停止するまでの間、吸気ファン６が惰性で作動し、埃や紙粉を吸引した場合においても第２フィルタ５が吸気経路全体を遮っているため、吸気ファン６が埃や紙粉を吸い込むことを抑制することができる。
【００２６】
＜第二実施形態＞
次に第二実施形態に係わるトイレ用脱臭装置について説明する。
【００２７】
図３Ｂは、本発明の第二実施形態に係るトイレ用脱臭装置の動作の一例を模式的に表す平面図である。
【００２８】
吸気ファンモータ６が駆動中において、清掃目的等のため制御装置付き第１フィルタ４を引き抜いた際、第１フィルタ４内部に搭載された検知回路により第１フィルタ４が引き抜かれたことを制御装置３へ信号送信し、制御装置３より吸気ファン６への逆回転信号を送信し、吸気ファン６が逆回転駆動を行なう。このため吸気ファン６が埃や紙粉を吸引することがない。仮に制御装置付き第１フィルタ４が引き抜かれ、第１フィルタ４内部に搭載された検知回路により第１フィルタ４が引き抜かれたことを制御装置３へ信号送信し、制御装置３より吸気ファン６への逆回転信号を送信し、吸気ファン６が逆回転駆動するまでの間、吸気ファン６が惰性で作動し、埃や紙粉を吸引した場合においてもフィルタ５が吸気経路全体を遮っているため、吸気ファン６が埃や紙粉を吸引することを抑制できる。
【００２９】
また、制御装置付き第１フィルタ４引抜時に制御装置付き第１フィルタ４に付着していた埃や紙粉の落下を助長することが可能である。
【００３０】
＜変形例＞
以上、本願の開示する技術の実施形態について説明したが、本願の開示する技術は、上記に限定されるものではない。
【００３１】
例えば、上記実施形態では、制御装置付き第１フィルタ４と第２フィルタ５にて各々目の粗さを違える場合を説明したが、代わりに同じ目の粗さのフィルタを用いてもよい。
【００３２】
また、上記実施形態では、制御装置付き第１フィルタ４と第２フィルタ５を別部品として説明したが、代わりに一体形状として用いてもよい。この場合、第２フィルタ５を第１フィルタ４よりも長くすれば、第１フィルタ４の取り外しの際に、第２フィルタ５も取り外されようとしても、その長い部分で吸気経路を塞ぐことができ、吸気ファン６が埃や紙粉を吸引することを抑制できる。逆に、第１フィルタ４を第２フィルタ５よりも長くすれば、第２フィルタ５の取り外しの際に、第１フィルタ４も取り外されようとしても、その長い部分で吸気経路を塞ぐことができ、吸気ファン６が埃や紙粉を吸引することを抑制できる。
【００３３】
前述した各実施の形態が備える各要素は、技術的に可能な限りにおいて組み合わせることができ、これらを組み合わせたものも本発明の特徴を含む限り本発明の範囲に包含される。
【符号の説明】
【００３４】
１  トイレ用脱臭装置
２  便座
３  制御装置
４  制御装置付きフィルタ
５  フィルタ
６  吸気ファン
７  脱臭剤
８  脱臭吸い込み口
９  脱臭排気口
１０  人体検知センサ
１１  ケーシング
【図１Ａ】
0006566378.tif 000002
【図１Ｂ】
0006566378.tif 000003
【図２Ａ】
0006566378.tif 000004
【図２Ｂ】
0006566378.tif 000005
【図３Ａ】
0006566378.tif 000006
【図３Ｂ】
0006566378.tif 000007